(57)【要約】      （修正有）【課題】洗浄、すすぎ及び乾燥の工程を順次的に実行させる食器洗浄乾燥機において、工程の実行を停止した場合、ユーザが停止状態の解除をしなくとも、自動で停止状態を解除して最終工程に達することができる食器洗浄乾燥機を提供する。【解決手段】食器洗浄乾燥機は、受付部が停止指示を受け付けた場合、該停止指示に応答して制御部が洗浄、すすぎ及び乾燥の工程の実行を停止し、所定の時間への到達を計測し、前記時間に到達した際、工程の実行の停止を解除する手段を備える構成である。【選択図】図５
2007244505.tif 000002
【特許請求の範囲】
【請求項１】
食器を収納する洗浄槽と、前記食器に向けて洗浄水を噴出する洗浄ポンプと、前記食器及び洗浄水を加熱するヒータと、前記洗浄ポンプ及びヒータの動作を制御して、洗浄、すすぎ及び乾燥の工程を順次的に実行させる制御部と、前記工程の実行の停止指示を受け付ける受付部とを備え、前記制御部は、前記受付部が受け付けた前記停止指示に応答して前記工程の実行を停止させる食器洗浄乾燥機において、
前記制御部が前記工程の実行を停止した場合、所定の時間への到達を計測する第１計時手段と、
該第１計時手段が前記時間の到達を計測した場合、前記工程の実行の停止を解除する解除手段とを備えることを特徴とする食器洗浄乾燥機。
【請求項２】
前記時間を指定する時間指定部を更に備えることを特徴とする請求項１に記載の食器洗浄乾燥機。
【請求項３】
前記時間指定部は、反復操作された回数に応じて前記時間を指定するように構成してあることを特徴とする請求項２に記載の食器洗浄乾燥機。
【請求項４】
前記時間指定部は、所定の間隔以下で反復操作された場合、操作された回数に応じて前記時間を指定するように構成してあることを特徴とする請求項３に記載の食器洗浄乾燥機。
【請求項５】
前記時間指定部は、操作された時間に応じて前記時間を指定するように構成してあることを特徴とする請求項２に記載の食器洗浄乾燥機。
【請求項６】
前記解除手段は、前記第１計時手段が前記時間への到達を計測している間に前記時間指定部が操作された場合、前記工程の実行の停止を解除するように構成してあることを特徴とする請求項２乃至５の何れか一つに記載の食器洗浄乾燥機。
【請求項７】
前記洗浄槽の開口を開閉する扉と、
該扉についての開扉を検出する開扉検出手段と、
該開扉検出手段により開扉が検出されている開扉時間を計測する第２計時手段とを備え、
前記第１計時手段は、前記時間に前記第２計時手段により計測された前記開扉時間を加えて計測するように構成してあることを特徴とする請求項１乃至６の何れか一つに記載の食器洗浄乾燥機。
【請求項８】
前記食器又は洗浄水の温度を検出する温度検出手段を更に備え、
前記解除手段は、前記温度検出手段が所定の温度を検出した場合、前記工程の実行の停止を解除するように構成してあることを特徴とする請求項１乃至７の何れか一つに記載の食器洗浄乾燥機。
【請求項９】
前記解除手段により前記工程の実行の停止が解除される旨を報知する報知手段を更に備えることを特徴とする請求項１乃至８の何れか一つに記載の食器洗浄乾燥機。
【発明の詳細な説明】
【技術分野】
【０００１】
本発明は、洗浄、すすぎ及び乾燥の工程を順次的に実行させる食器洗浄乾燥機に関し、特に、工程の実行を停止した場合、所定の時間への到達により工程の実行の停止が解除できる食器洗浄乾燥機に関する。
【背景技術】
【０００２】
従来、ユーザが常時監視しなくても、食器の洗浄、すすぎ及び乾燥工程を順次的に実行して自動で最終工程に到達する食器洗浄乾燥機がある。
【特許文献１】特開平７−２６５２５１号公報
【発明の開示】
【発明が解決しようとする課題】
【０００３】
しかし、特許文献１に記載された食器洗浄乾燥機は、例えば洗浄工程中に食器を追加する、又は、不足した洗剤を補充するような場合、ユーザにより、実行中の洗浄等の工程が一旦停止されて洗浄槽の扉が開かれ、食器の追加又は洗剤の補充などが手動で行われた後、扉が閉められ停止解除されて運転を再開する。従って、ユーザが停止解除をし忘れると、洗浄中の食器は放置されてしまい、当該食器洗浄乾燥機は最終工程に到達できない。更に、洗浄・すすぎ工程（又は乾燥工程）にて加熱された洗浄水（又は食器）は冷めてしまい、当該食器洗浄乾燥機は、再度元の温度に戻すために高エネルギーを消費する。
【０００４】
本発明はかかる事情に鑑みてなされたものであり、その目的とするところは、洗浄、すすぎ及び乾燥の工程の実行を停止した場合、所定の時間への到達を計測して、工程の実行の停止を解除する手段を備えることにより、ユーザが停止状態の解除をしなくとも、自動で停止状態を解除して最終工程に達することができる食器洗浄乾燥機を提供することにある。
【０００５】
また、本発明の他の目的は、工程の実行の停止から停止解除までの時間を指定する時間指定部を備えることにより、工程の実行の停止を解除する場合であっても、ユーザが予期せぬ時間に停止状態を解除しない食器洗浄乾燥機を提供することにある。
【０００６】
また、本発明の他の目的は、操作回数又は操作時間に応じて停止時間を指定する構成を備えることにより、ユーザが単純な操作方法により手早く時間を指定できる食器洗浄乾燥機を提供することにある。
【０００７】
また、本発明の他の目的は、工程の実行の停止中であっても、ユーザの操作により、工程の実行の停止を解除できる食器洗浄乾燥機を提供することにある。
【０００８】
また、本発明の他の目的は、工程の実行の停止後、洗浄槽の開口での開扉時間分を延長して、工程の実行の停止を解除する構成を備えることにより、工程の実行の停止を解除する場合であっても、ユーザが洗浄槽の開口を開扉して食器の追加又は洗剤の補充している途中で停止状態を解除しないようにできる食器洗浄乾燥機を提供することにある。
【０００９】
また、本発明の他の目的は、工程の実行の停止後、食器又は洗浄水の温度が所定の温度に達したことを検出した場合、工程の実行の停止を解除する構成を備えることにより、再度元の温度に戻すために高エネルギーを消費しないように、自動で停止状態を解除して、最終工程に達するとともに、エネルギーの効率化も図ることができる食器洗浄乾燥機を提供することにある。
【００１０】
また、本発明の他の目的は、停止状態が解除される旨を報知する手段を備えることにより、ユーザが装置外部から停止状態が解除される旨を知ることができる食器洗浄乾燥機を提供することにある。
【課題を解決するための手段】
【００１１】
上記課題を解決するために本発明に係る食器洗浄乾燥機は、食器を収納する洗浄槽と、前記食器に向けて洗浄水を噴出する洗浄ポンプと、前記食器及び洗浄水を加熱するヒータと、前記洗浄ポンプ及びヒータの動作を制御して、洗浄、すすぎ及び乾燥の工程を順次的に実行させる制御部と、前記工程の実行の停止指示を受け付ける受付部とを備え、前記制御部は、前記受付部が受け付けた前記停止指示に応答して前記工程の実行を停止させる食器洗浄乾燥機において、前記制御部が前記工程の実行を停止した場合、所定の時間への到達を計測する第１計時手段と、該第１計時手段が前記時間の到達を計測した場合、前記工程の実行の停止を解除する解除手段とを備えることを特徴とする。
【００１２】
本発明にあっては、食器洗浄乾燥機は、受付部が停止指示を受け付けた場合、該停止指示に応答して制御部が洗浄、すすぎ及び乾燥の工程の実行を停止し、所定の時間への到達を計測し、前記時間に到達した際、工程の実行の停止を解除する。
【００１３】
また、本発明に係る食器洗浄乾燥機は、前記時間を指定する時間指定部を更に備えることを特徴とする。
【００１４】
本発明にあっては、食器洗浄乾燥機は、時間指定部にて指定時間を受け付ける。
【００１５】
また、本発明に係る食器洗浄乾燥機は、前記時間指定部は、反復操作された回数に応じて前記時間を指定するように構成してあることを特徴とする。
【００１６】
また、本発明に係る食器洗浄乾燥機は、前記時間指定部は、所定の間隔以下で反復操作された場合、操作された回数に応じて前記時間を指定するように構成してあることを特徴とする。
【００１７】
また、本発明に係る食器洗浄乾燥機は、前記時間指定部は、操作された時間に応じて前記時間を指定するように構成してあることを特徴とする。
【００１８】
本発明にあっては、食器洗浄乾燥機は、時間指定部における操作回数又は操作時間に応じて指定時間を受け付ける。
【００１９】
また、本発明に係る食器洗浄乾燥機は、前記解除手段は、前記第１計時手段が前記時間への到達を計測している間に前記時間指定部が操作された場合、前記工程の実行の停止を解除するように構成してあることを特徴とする。
【００２０】
本発明にあっては、食器洗浄乾燥機は、第１計時手段が所定の時間への到達を計測している間に時間指定部による操作がなされた場合、工程の実行の停止を解除する。
【００２１】
また、本発明に係る食器洗浄乾燥機は、前記洗浄槽の開口を開閉する扉と、該扉についての開扉を検出する開扉検出手段と、該開扉検出手段により開扉が検出されている開扉時間を計測する第２計時手段とを備え、前記第１計時手段は、前記時間に前記第２計時手段により計測された前記開扉時間を加えて計測するように構成してあることを特徴とする。
【００２２】
本発明にあっては、食器洗浄乾燥機は、洗浄槽の開口での開扉を検出し、検出した開扉時間分を延長して所定の時間を計測し、前記時間に到達した際、工程の実行の停止を解除する。
【００２３】
また、本発明に係る食器洗浄乾燥機は、前記食器又は洗浄水の温度を検出する温度検出手段を更に備え、前記解除手段は、前記温度検出手段が所定の温度を検出した場合、前記工程の実行の停止を解除するように構成してあることを特徴とする。
【００２４】
本発明にあっては、食器洗浄乾燥機は、食器又は洗浄水の温度が所定の温度に達したことを検出した場合、工程の実行の停止を解除する。
【００２５】
また、本発明に係る食器洗浄乾燥機は、前記解除手段により前記工程の実行の停止が解除される旨を報知する報知手段を更に備えることを特徴とする。
【００２６】
本発明にあっては、食器洗浄乾燥機は、停止状態を解除する際、その旨を報知する。
【発明の効果】
【００２７】
本発明にあっては、洗浄・すすぎ・乾燥の工程の実行を停止した後、ユーザにより工程実行の停止が解除されなくとも、自動で停止解除でき、洗浄中の食器が放置されることなく、最終工程にまで達することができる。
【００２８】
また、本発明にあっては、工程の実行の停止を解除する場合であっても、ユーザが予期せぬ時間に停止状態を解除しないようにできる。
【００２９】
また、本発明にあっては、ユーザが単純な操作方法により手早く時間を指定できる。
【００３０】
また、本発明にあっては、工程の実行の停止中であっても、ユーザが手動で停止を解除することができる。
【００３１】
また、本発明にあっては、ユーザが洗浄槽の開口を開扉して食器の追加又は洗浄の補充している途中で停止状態を解除しないようにできる。
【００３２】
また、本発明にあっては、洗浄・すすぎ・乾燥の工程の実行を停止した後、当該工程にて加熱されていた洗浄水又は食器を再度元の温度に戻すために高エネルギーを消費することなく自動で停止が解除でき、最終工程に達することができるとともにエネルギーの効率化を図ることができる。
【００３３】
また、本発明にあっては、ユーザが装置外部から停止状態が解除される旨を知ることができる。
【発明を実施するための最良の形態】
【００３４】
以下、本発明をその実施の形態を示す図面に基づいて説明する。
実施の形態１．
図１は本発明に係る食器洗浄乾燥機の略示左側断面図、図２は本発明に係る食器洗浄乾燥機が有する操作パネルの模式図、図３は変換テーブルの内容の一例を示す説明図、図４は本発明に係る食器洗浄乾燥機の構成を示すブロック図である。図中１は、筐体２に覆われた中空略直方体形状の洗浄槽であり、洗浄槽１は、底板部１ａの周縁部分に、右側壁１ｂ、左側壁（図示なし）、背面壁１ｃ及び正面壁１ｄが底板部１ａに対して略垂直に形成されており、右側壁１ｂ、左側壁（図示なし）、背面壁１ｃ及び正面壁１ｄの上縁部分には天板部１ｅが形成されている。
【００３５】
洗浄槽１は、右側壁１ｂ及び左側壁（図示なし）の内面の高さ１／３付近に、支持レール（図示なし）が夫々横設されており、支持レールは、食器Ａを載置するための食器かご１２を前後方向に移動自在に支持している。
【００３６】
洗浄槽１は、底部付近に洗浄水を貯水し、底板部１ａ中央付近に円柱状の洗浄ポンプ１３が凸設され、底板部１ａの正面壁１ｄ寄りに前記洗浄水を加熱する第１ヒータ１４ａが設置され、底板部１ａの背面壁１ｃ寄りに、前記洗浄水の温度を検出する温度検出部１５が設置され、背面壁１ｃの内面の高さ１／２付近に洗浄槽１内空気を加熱する第２ヒータ１４ｂが設置されており、底板部１ａに洗浄水を給水する給水孔１６及び排水する排水孔１７を形成し、正面壁１ｄに食器Ａを出入するための開口１８を形成している。
【００３７】
洗浄ポンプ１３は、上端に形成されたノズル１３ａが洗浄槽１の底部に貯水された洗浄水の最高水位の面より上に突出するように構成されており、下端に形成された取水孔１３ｂから取り込んだ洗浄水を、ノズル１３ａを介して食器かご１２に載置された食器Ａに向けて噴出する。
【００３８】
温度検出部１５は、洗浄槽１の底部に貯水された洗浄水の温度を検出する温度センサ及び該温度センサが検出した温度が所定の温度であるか否かを判定する判定回路から構成され、判定回路が所定の温度であると判定した場合に信号を発し、該信号を検出情報として後述する制御部７のＣＰＵ７６へ送る。
【００３９】
給水孔１６は、ホース１６ａの一端が接続されており、ホース１６ａは、他端を、洗浄槽１の底板部１ａ及び筐体２の底板部２ａの隙間に設置された送水ポンプ１９に接続されている。送水ポンプ１９は、ホース１９ａの一端が接続されており、ホース１９ａの他端から洗浄水を取り込み、ホース１６ａを介して給水孔１６へ洗浄水を送水する。
【００４０】
排水孔１７は、ホース１７ａの一端が接続されており、洗浄槽１の底部に貯水された洗浄水をホース１７ａの他端より外部へ排水する。
【００４１】
開口１８は、下縁に枢支され該下縁を中心に回動して開口１８を開閉する扉２１により閉塞され、上縁付近に扉２１についての開扉を検出する開扉検出部３が設置されている。扉２１は、中央付近に操作パネル4及び報知ランプ５が取設されている。開扉検出部３は、圧力センサであり、扉２１が閉じている場合、扉２１の押圧によりオフ状態になり、扉２１が開いている場合、扉２１の押圧から解放されてオン状態になり信号を発し、当該信号を開扉情報として、後述する制御部７のＣＰＵ７６へ送る。
【００４２】
操作パネル４は、受付部であり、洗浄・すすぎ・乾燥工程の実行指示スイッチ４１、実行の停止指示スイッチ４２、時間指定スイッチ４３、及び、温度設定レバー４４を備える。実行指示スイッチ４１は、オンされると制御部７のＣＰＵ７６へ実行指示を送る。停止指示スイッチ４２は、オンされると制御部７のＣＰＵ７６へ実行の停止指示を送る。時間指定スイッチ４３は、オンされると指定情報を、オンが反復された場合、オンした回数分の指定情報を時間指定部６へ送る。温度設定レバー４４は、操作されると、操作量に応じた第１ヒータ１４ａ又は第２ヒータ１４ｂの設定温度を制御部７のＣＰＵ７６へ送る。
【００４３】
報知ランプ５は、報知手段であり、後述する制御部７のＣＰＵ７６から点灯指示を受け付けた際、点灯する。
【００４４】
洗浄槽１の底板部１ａ及び筐体２の底板部２ａの隙間には、操作パネル４が受け付けた指定情報を指定時間に変換する時間指定部６、及び、操作パネル４が受け付けた指示、又は、温度検出部１５若しくは開扉検出部３の情報に基づいて、洗浄ポンプ１３、第１ヒータ１４ａ、第２ヒータ１４ｂ、送水ポンプ１９等の動作を制御する制御部７が設置されている。
【００４５】
時間指定部６は、操作パネル４により受け付けた指定情報の操作回数に対応する指定時間が登録されている変換テーブル６ａを有しており、操作パネル４から送られた指定情報を変換テーブル６ａにより指定時間へ変換し、変換した指定時間を後述する制御部７のＣＰＵ７６へ送る。また、時間指定部６は、操作パネル４から指定情報を反復して受け付けた際、一の指定情報を受けてから他の指定情報を受け付けるまでの間隔が、所定の間隔であるか否かを判定する判定回路６ｂを有する。
【００４６】
変換テーブル６ａは、受け付けた指定情報の操作回数毎にレコードを有し、該レコード毎に変換すべき指定時間が登録されている。例えば、指定情報の操作回数が１回の場合は指定時間「３０秒」、２回の場合は指定時間「１分」、３回の場合は指定時間「1分３０秒」及び４回の場合は指定時間「２分」となる。
【００４７】
制御部７は、バス７０を介して接続される、通信手段７１、ＲＡＭ７２、ＲＯＭ７３、第１タイマー７４、第２タイマー７５及びＣＰＵ７６から構成されている。
【００４８】
通信手段７１は、洗浄ポンプ１３、第１ヒータ１４ａ、第２ヒータ１４ｂ、温度検出部１５、送水ポンプ１９、開扉検出部３、操作パネル４、報知ランプ５及び時間指定部６と制御線８を介して接続されており、操作パネル４から受け付けた指示、温度検出部１５から受け付けた検出情報、及び、開扉検出部３から受け付けた開扉情報をＲＡＭ７２へ送り、洗浄ポンプ１３、第１ヒータ１４ａ、第２ヒータ１４ｂ、温度検出部１５及び送水ポンプ１９へ指示を送る。
【００４９】
ＲＡＭ７２は、通信手段７１から送られた指示及び情報を受け付けて一時記憶し、ＲＯＭ７３にアクセスして必要なプログラムを読み出す。
【００５０】
ＲＯＭ７３は、洗浄ポンプ１３、第１ヒータ１４ａ、第２ヒータ１４ｂ及び送水ポンプ１９の動作を制御する実行プログラム７３ａ、洗浄ポンプ１３、第１ヒータ１４ａ、第２ヒータ１４ｂ、及び、送水ポンプ１９の動作を停止させ、第１タイマー７４又は第２タイマー７５に時間を計測させる実行停止プログラム７３ｂ、停止中の洗浄ポンプ１３、第１ヒータ１４ａ、第２ヒータ１４ｂ及び送水ポンプ１９の動作を再び開始させる停止解除プログラム７３ｃ、及びその他のプログラムが格納されている。
【００５１】
第１タイマー７４は、第１計時手段であり、ＣＰＵ７６の開始指示に応答して、計測を開始し、所定の時間への到達を計測した場合、到達情報をＣＰＵ７６へ送る。
【００５２】
第２タイマー７５は、第２計時手段であり、ＣＰＵ７６の計時指示を受け付けている間、時間を計測し、計測した時間を開扉時間として第１タイマー７４へ送る。開扉時間を受け付けた第１タイマー７４は、開扉時間を所定の時間に加えて計測する。
【００５３】
ＣＰＵ７６は、ＲＡＭ７２から読み出した指示又は情報及びプログラムに基づいて、洗浄ポンプ１３、第１ヒータ１４ａ、第２ヒータ１４ｂ及び送水ポンプへの指示を生成し、通信手段７１を介して洗浄ポンプ１３、第１ヒータ１４ａ、第２ヒータ１４ｂ及び送水ポンプ１９へ送る。具体的には、ＣＰＵ７６は、実行指示及び実行プログラム７３ａに基づいて、洗浄ポンプ１３の動作を開始させ食器Ａに向けて噴出する洗浄工程と、送水ポンプ１９の動作を開始させて外部より新しい洗浄水を洗浄槽１に送水させ、洗浄ポンプ１３の動作を開始させて該洗浄水を食器Ａに向けて噴出するすすぎ工程と、第２ヒータ１４ｂの動作を開始させて洗浄槽１内空気を加熱させ食器Ａを乾燥させる乾燥工程とを順次的に実行させるか、又は、停止指示及び実行停止（及び停止解除）プログラム７３ｂ（７３ｃ）に基づいて、洗浄ポンプ１３、第１ヒータ１４ａ、第２ヒータ１４ｂ又は送水ポンプ１９の動作を停止させて前記工程の実行を停止させるとともに、第１タイマー７４に所定の時間への到達を計測させ、所定の時間の到達を計測した旨の到達情報を返信させて、洗浄ポンプ１３、第１ヒータ１４ａ、第２ヒータ１４ｂ又は送水ポンプ１９の動作を再び開始させることで前記工程の実行の停止を解除し、報知ランプ５へ点灯指示を送る。
【００５４】
また、ＣＰＵ７６は、検出情報、実行停止（及び停止解除）プログラム７３ｂ（７３ｃ）に基づいて、動作停止中である洗浄ポンプ１３、第１ヒータ１４ａ、第２ヒータ１４ｂ又は送水ポンプ１９の動作を再び開始させ、前記工程の実行の停止を解除し、報知ランプ５に点灯指示を送るか、又は、開扉情報及び実行停止（及び停止解除）プログラム７３ｂ（７３ｃ）に基づいて、洗浄ポンプ１３、第１ヒータ１４ａ、第２ヒータ１４ｂ又は送水ポンプ１９の動作を停止させ、第１タイマー７４に所定の時間への到達を計測させるとともに、第２タイマー７５に開扉情報を受け付けている間の開扉時間を計測させ、更に第１タイマー７４に所定の時間に開扉時間を加えて計測させ、到達を計測した旨の到達情報を返信させて、洗浄ポンプ１３、第１ヒータ１４ａ、第２ヒータ１４ｂ又は送水ポンプ１９の動作を再び開始させることで前記工程の実行の停止を解除し、報知ランプ５へ点灯指示を送る。
【００５５】
また、ＣＰＵ７６は、指定時間及び実行停止（及び停止解除）プログラム７３ｂ（７３ｃ）に基づいて、洗浄ポンプ１３、第１ヒータ１４ａ、第２ヒータ１４ｂ又は送水ポンプ１９の動作を停止させ、第１タイマー７４に指定時間への到達を計測させるとともに、指定時間の到達を計測した旨の計測情報を返信させて、洗浄ポンプ１３、第１ヒータ１４ａ、第２ヒータ１４ｂ又は送水ポンプ１９の動作を再び開始させることで前記工程の実行の停止を解除し、報知ランプ５へ点灯指示を送り、更に第１タイマー７４に指定時間への到達を計測させている間に指定時間を受け付けた場合は、停止解除プログラム７３ｃに基づいて、洗浄ポンプ１３、第１ヒータ１４ａ、第２ヒータ１４ｂ又は送水ポンプ１９の動作を再び開始させることで前記工程の実行の停止を解除し、報知ランプ５へ点灯指示を送る。
【００５６】
次に、本発明に係る食器洗浄乾燥機が有する制御部７が実行する処理について説明する。図５及び図６は本発明に係る食器洗浄乾燥機が有する制御部の処理を示すフローチャートである。
【００５７】
制御部７のＣＰＵ７６は、実行指示スイッチ４１がオンされることにより操作パネル４から洗浄・すすぎ・乾燥工程の実行指示を通信手段７１を介して受け付けた場合（ステップＳ１０１）、ＲＯＭ７３からＲＡＭ７２へ読み出した実行プログラム７３ａに基づいて動作開始指示を生成し（ステップＳ１０２）、生成した動作開始指示を通信手段７１を介して洗浄ポンプ１３、第１ヒータ１４ａ、第２ヒータ１４ｂ又は送水ポンプ１９へ送る（ステップＳ１０３）。尚、動作開始指示を受け付けた洗浄ポンプ１３等は、動作開始指示に従って洗浄・すすぎ・乾燥工程を順次的に実行していく。
【００５８】
ＣＰＵ７６は、洗浄・すすぎ・乾燥の工程が最終まで実行された否かを判断し（ステップＳ１０４）、実行されたと判断した場合（ステップＳ１０４でＹＥＳ）、処理を終了する。他方、ＣＰＵ７６は、実行されていないと判断した場合（ステップＳ１０４でＮＯ）、更に、停止指示スイッチ４２がオンされることにより操作パネル４から停止指示を通信手段７１を介して受け付けたか否かを判断し（ステップＳ１０５）、停止指示を受け付けていないと判断した場合（ステップＳ１０５でＮＯ）、ステップＳ１０４へ戻る。
【００５９】
他方、ＣＰＵ７６は、停止指示を受け付けたと判断した場合（ステップＳ１０５でＹＥＳ）、ＲＯＭ７３からＲＡＭ７２へ読み出した実行停止プログラム７３ｂに基づいて動作停止指示（及び計時開始指示）を生成し（ステップＳ１０６）、生成した動作停止指示（及び計時開始指示）を通信手段７１を介して洗浄ポンプ１３、第１ヒータ１４ａ、第２ヒータ１４ｂ又は送水ポンプ１９（及び第１タイマー７４）へ送る（ステップＳ１０７）。尚、動作停止指示を受け付けた洗浄ポンプ１３、第１ヒータ１４ａ、第２ヒータ１４ｂ又は送水ポンプ１９は、動作停止指示に従って動作を停止し、工程の実行を停止する。また、計時開始指示を受け付けた第1タイマー７４は、所定の時間（又は後述する時間指定部６から受け付けた指定時間、以下同じ）への到達を計測し、所定の時間の到達を計測した場合、到達情報をＣＰＵ７６へ返信する。
【００６０】
ＣＰＵ７６は、温度検出部１５から検出情報を通信手段７１を介して受け付けたか否かを判断し（ステップＳ１０８）、検出情報を受け付けたと判断した場合（ステップＳ１０８でＹＥＳ）、ＲＯＭ７３からＲＡＭ７２へ読み出した停止解除プログラム７３ｃに基づいて停止解除指示（及び初期化指示）を生成し（ステップＳ１０９）、生成した停止解除指示（及び初期化指示）を通信手段７１を介して洗浄ポンプ１３、第１ヒータ１４ａ、第２ヒータ１４ｂ又は送水ポンプ１９（及び第１タイマー７４）へ送り（ステップＳ１１０）、点灯指示を通信手段７１を介して報知ランプ５へ送る（ステップＳ１１１）。尚、停止解除指示を受け付けた洗浄ポンプ１３、第１ヒータ１４ａ、第２ヒータ１４ｂ及び送水ポンプ１９は、停止解除指示に従って動作を再び開始し、工程の実行停止を解除する。また、初期化指示を受け付けた第１タイマー７４は、計測を停止して計測時間を‘０’に戻し、点灯指示を受け付けた報知ランプ５は点灯する。
【００６１】
他方、ＣＰＵ７６は、検出情報を受け付けていないと判断した場合（ステップＳ１０８でＮＯ）、第１タイマー７４から到達情報を通信手段７１を介して受け付けたか否かを判断し（ステップＳ１１２）、到達情報を受け付けたと判断した場合（ステップＳ１１２でＹＥＳ）、ステップＳ１０９へ進む。
【００６２】
他方、ＣＰＵ７６は、到達情報を受け付けていないと判断した場合（ステップＳ１１２でＮＯ）、更に開扉情報を通信手段７１を介して開扉検出部３から受け付けているか否かを判断し（ステップＳ１１３）、開扉情報を受け付けていると判断する場合（ステップＳ１１３でＹＥＳ）、実行停止プログラム７３ｂに基づいて計時指示を生成し（ステップＳ１１４）、生成した計時指示を通信手段７１を介して第２タイマー７５へ送り（ステップＳ１１５）、ステップＳ１１３へ戻り、開扉情報を受け付けている間、ステップＳ１１３〜Ｓ１１５を繰り返す。尚、第２タイマー７５は、計時開始指示を受け付けている間、計時指示に応答して時間を計測し、計測した時間を開扉時間として第１タイマー７４へ送り、開扉時間を受け付けた第１タイマー７４は、開扉時間を所定の時間に加えた時間への到達を計測し、時間の到達を計測した場合、到達情報をＣＰＵ７６へ返信する。
【００６３】
他方、ＣＰＵ７６は、開扉情報を受け付けていないと判断した場合（ステップＳ１１３でＮＯ）、ステップＳ１１２へ戻る。
【００６４】
次に、本発明に係る食器洗浄乾燥機が有する時間指定部６が実行する処理について説明する。図７は本発明に係る食器洗浄乾燥機が有する時間指定部の処理を示すフローチャートである。
【００６５】
時間指定部６は、時間指定スイッチ４３がオンされることにより操作パネル４から指定情報を受け付けたか否かを判断し（ステップＳ２０１）、指定情報を受け付けていないと判断した場合（ステップＳ２０１でＮＯ）、待機する。
【００６６】
他方、時間指定部６は、指定情報を受け付けたと判断した場合（ステップＳ２０１でＹＥＳ）、更に受け付けた指定情報の操作回数が‘２’以上であるか否かを判断し（ステップＳ２０２）、操作回数が‘２’以上であると判断した場合（ステップＳ２０２でＹＥＳ）、更に、判定回路６ｂにより一の指定情報を受け付けてから他の指定情報を受け付けるまでの間隔が1秒以下であるか否かを判定し（ステップＳ２０３）、１秒以下ではないと判断した場合（ステップＳ２０３でＮＯ）、他の指定情報の受付を拒否してステップＳ２０２に戻る。
【００６７】
他方、ＣＰＵ７６は、１秒以下であると判断した場合（ステップＳ２０３でＹＥＳ）、操作回数をカウントし（ステップＳ２０４）、カウントした操作回数を変換テーブル６ａに基づいて指定時間へ変換し（ステップＳ２０５）、変換した指定時間をＣＰＵ７６へ送る（ステップＳ２０６）。
【００６８】
他方、ＣＰＵ７６は、‘２’以上ではないと判断した場合（ステップＳ２０２でＮＯ）、ステップＳ２０５へ進み、操作回数‘１’を変換テーブル６ａに基づいて指定時間へ変換し、変換した指定時間をＣＰＵ７６へ送る。
【００６９】
実施の形態２．
実施の形態１では、時間指定部６は、時間指定スイッチ４３からの指定情報の操作回数に基づいて指定時間を生成したが、実施の形態２では、時間指定スイッチ４３からの指定情報の操作時間に基づいて指定時間を生成する例を説明する。図８は本発明に係る食器洗浄乾燥機が有する時間指定部の処理を示すフローチャートである。
【００７０】
時間指定部６は、計測した操作時間に対応する指定時間が登録されている変換テーブル６ｃを有しており、操作パネル４から受け付けている指定情報の操作時間をタイマー（図示せず）により計測し、計測した操作時間を変換テーブル６ｃに基づいて指定時間へ変換し、変換した指定時間を制御部７のＣＰＵ７６へ送る。
【００７１】
変換テーブル６ｃは、図３に示すとおり、指定情報の操作時間毎にレコードを有し、該レコード毎に変換すべき指定時間が登録されている。例えば、計測した操作時間が「〜１秒まで」の場合は指定時間「３０秒」、「１〜２秒まで」の場合は指定時間「1分」、「２〜３秒まで」の場合は指定時間「１分３０秒」、「３〜４秒まで」の場合は指定時間「２分」及び「４〜５秒まで」の場合は指定時間「２分３０秒」となる。
【００７２】
時間指定部６は、時間指定スイッチ４３がオンされることにより操作パネル４から指定情報を受け付けている否かを判断し（ステップＳ３０１）、指定情報を受け付けていると判断した場合（ステップＳ３０１でＹＥＳ）、タイマー（図示せず）に指定情報の操作時間を計測させ（ステップＳ３０２）、計測した操作時間を、変換テーブル６ｃに基づいて指定時間に変換し（ステップＳ３０３）、変換した指定時間をＣＰＵ７６へ送る（ステップＳ３０４）。
【００７３】
本実施の形態２は以上の如き構成としてあり、その他の構成及び作用は、実施の形態１と同様であるので、対応する部分には同一の参照番号を付してその詳細な説明は省略する。
【００７４】
以上のとおり、上述した実施の形態では、第１タイマー７４及び第２タイマー７５は制御部７に備えられていたが、これに限らず、独立して存在しても良い。
【００７５】
また、上述した実施の形態では、時間指定部６は制御部７と独立していたが、これに限らず、制御部７が備えるようにしてもよい。
【００７６】
また、上述した実施の形態では、工程の実行の停止を解除する解除手段は、制御部７が備えているが、これに限らず、停止解除を実行する他の制御部を設けても良い。
【００７７】
また、温度検出部１５が検出する所定の温度は、操作パネル４に設けた温度検出設定レバー（図示せず）を操作することにより、ユーザが予め設定できるようにしてもよい。
【００７８】
更にまた、上述した実施の形態では、第２タイマー７５を設け、ＣＰＵ７６は、開扉検出部３から開扉情報を受け付けた場合、第２タイマー７５に開扉情報を受け付けている時間を計測させているが、これに限らず、ＣＰＵ７６は、開扉情報を受け付けている間、第１タイマー７４の計測を一時停止させるようにしてもよい。
【図面の簡単な説明】
【００７９】
【図１】本発明に係る食器洗浄乾燥機の略示左側断面図である。
【図２】本発明に係る食器洗浄乾燥機が有する操作パネルの模式図である。
【図３】変換テーブルの内容の一例を示す説明図である。
【図４】本発明に係る食器洗浄乾燥機の構成を示すブロック図である。
【図５】本発明に係る食器洗浄乾燥機が有する制御部の処理を示すフローチャートである。
【図６】本発明に係る食器洗浄乾燥機が有する制御部の処理を示すフローチャートである。
【図７】本発明に係る食器洗浄乾燥機が有する時間指定部の処理を示すフローチャートである。
【図８】本発明に係る食器洗浄乾燥機が有する時間指定部の処理を示すフローチャートである。
【符号の説明】
【００８０】
１  洗浄槽
１３  洗浄ポンプ
１４ａ  第１ヒータ
１４ｂ  第２ヒータ
１５  温度検出部
１８  開口
２１  扉
３  開扉検出部
４  操作パネル
６  時間指定部
５  報知ランプ
７  制御部
７４  第１タイマー
７５  第２タイマー
Ａ  食器
【図１】
2007244505.tif 000003
【図２】
2007244505.tif 000004
【図３】
2007244505.tif 000005
【図４】
2007244505.tif 000006
【図５】
2007244505.tif 000007
【図６】
2007244505.tif 000008
【図７】
2007244505.tif 000009
【図８】
2007244505.tif 000010